(57)【要約】【課題】感応テープを一回で精確に貼り付けることができ、感応テープを快速で重複に貼り付けることができ、且つ感応テープに貼り付けられたフィルムを自動的に剥すことができる直動装置保護テープ貼付用ジグを提供する。【解決手段】直動装置の可動子に組み付けられ、保護テープを貼り付け、本体と、一つ以上の押えローラと、を少なくとも含む直動装置保護テープ貼付用ジグおいて、前記本体は、内部に収容空間を有するハウジングであり、テープに応じて入り口と貼付口とが開設してあり、前記入り口と貼付口とがそれぞれ前記本体の両側に位置され、テープが前記入り口から前記本体に進入し、前記貼付口がテープ貼付の予定箇所の方向に開放することを特徴とする直動装置保護テープ貼付用ジグ。【選択図】図２
2008127197.tif 000002
【特許請求の範囲】
【請求項１】
直動装置の可動子に組み付けられ、保護テープを貼り付け、本体と、一つ以上の押えローラと、を少なくとも含む直動装置保護テープ貼付用ジグおいて、
前記本体は、内部に収容空間を有するハウジングであり、テープに応じて入り口と貼付口とが開設してあり、前記入り口と貼付口とがそれぞれ前記本体の両側に位置され、テープが前記入り口から前記本体に進入し、前記貼付口がテープ貼付の予定箇所の方向に開放することを特徴とする、直動装置保護テープ貼付用ジグ。
【請求項２】
更に、案内ローラ組が設けてあり、前記案内ローラ組は、前記本体の入り口に応じて前記収容空間の内部に組み付けられ、前記貼付口の方向へ送るようにテープを案内することを特徴とする、請求項１に記載の直動装置保護テープ貼付用ジグ。
【請求項３】
前記案内ローラ組は、案内ローラと、前記案内ローラに対向するように設置される規制ピンとを含み、前記案内ローラと前記規制ピンとの組合により、テープが挟まれて案内されることを特徴とする、請求項２に記載の直動装置保護テープ貼付用ジグ。
【請求項４】
前記本体の貼付口の両側の壁面にはガイド穴が開設してあり、且つ前記貼付口の上には調整穴が開設してあり、
前記押えローラ組は、調整ロッドと、押えローラ台と、バネと、押えローラと、を少なくとも含み、前記調整ロッドは、その一端に円盤形状のハンドルが結合してあり、他端に螺旋が設けてあり、且つ螺旋が設けられた他端は前記本体の上にある調整穴から挿入され、前記押えローラ台は、前記本体の収容空間の内部に設置され、枢着軸を有し、前記枢着軸が前記本体の両側のガイド穴に挿入され、前記枢着軸と前記押えローラ台との変位が前記二つのガイド穴に規制され、且つ前記調整ロッドに応じてネジ穴が開設してあり、前記調整ロッドにある螺旋が前記ネジ穴に螺入され、前記バネは、両端が前記押えローラ台と前記本体にある内壁面とにそれぞれ支えるように、前記調整ロッドに嵌められ、前記押えローラは、前記枢着軸に回動自在に挿通され、前記本体の貼付口に位置され、前記バネに付勢されて、フィルムが剥され貼付口まで送られるテープを予定面に貼り付けることを特徴とする、請求項１または請求項３に記載の直動装置保護テープ貼付用ジグ。
【請求項５】
前記本体の収容空間の内部には、テープに貼り付けられたフイルムを剥すためのスクレーパが設けてあり、前記スクレーパが前記入り口と前記貼付口との間に位置されることを特徴とする、請求項１、請求項２または請求項３に記載の直動装置保護テープ貼付用ジグ。
【発明の詳細な説明】
【技術分野】
【０００１】
本発明は、直動装置に関連するジグに係り、特に、感応テープを快速で精確に貼り付けることができる直動装置保護テープ貼付用ジグに関するものである。
【背景技術】
【０００２】
目下、直動装置の可動子の走行経路の一側に感応テープ（例えば磁気感応式、赤外線式または接触式など）を貼り付けることが多く、このような感応テープは、制御システムが可動子の位置を精確に把握して可動子の動作を有効に制御できるためのものであり、なお、これらの感応テープの取付方式は、目で見て手で取り付けることもあるし、マークを付けた後に手で取り付けることもあるし、レールをミーリング加工した後に手で取り付けることもある。
【発明の開示】
【発明が解決しようとする課題】
【０００３】
しかしながら、これは次のような欠点があった。
（イ）目で見て手で取り付ける方法と、マークを付けた後に手で取り付ける方法とは、作業者の視覚誤差と、貼付動作の誤差とにより、矯正を多数回に繰り返すことが必要であり、一回で完成できなく、貼り付けられたテープが予定位置からずれたことがよくあり、そうすると、感応テープの感応部位と、制御システムの感応読取ヘッドとの有効距離に誤差が発生してしまい、ひいては感応テープは正常の機能を発揮できない。
【０００４】
（ロ）レールをミーリング加工した後に手で取り付ける方法は、感応テープをより精確に貼り付けることができるが、測定、機械修正、ミーリング加工およびレール清潔などの工程が必要なので、製造コストおよび加工工数が増加する。
【０００５】
（ハ）感応テープの表面に保護用テープを貼り付けることが一般であり、この保護用テープは、レールにミーリング加工したマークを見て貼り付けることができないので、予定位置からずれることがよくあり、なお、目で見て手で取り付ける方法と、マークを付けた後に手で取り付ける方法とによれば、上記の問題はもっと酷くなる。
【０００６】
本発明の主な目的は、感応テープを一回で精確に貼り付けることができる直動装置保護テープ貼付用ジグを提供することにある。
【０００７】
感応テープを快速で重複に貼り付けることができる直動装置保護テープ貼付用ジグを提供することにある。
【０００８】
本発明の別の目的は、感応テープに貼り付けられたフィルムを自動的に剥すことができる直動装置保護テープ貼付用ジグを提供することにある。
【課題を解決するための手段】
【０００９】
上記目的を達成するためになされた本願の発明は、直動装置の可動子に組み付けられ、保護テープを貼り付け、本体と、一つ以上の押えローラと、を少なくとも含む直動装置保護テープ貼付用ジグおいて、前記本体は、内部に収容空間を有するハウジングであり、テープに応じて入り口と貼付口とが開設してあり、前記入り口と貼付口とがそれぞれ前記本体の両側に位置され、テープが前記入り口から前記本体に進入し、前記貼付口がテープ貼付の予定箇所の方向に開放することを特徴とする直動装置保護テープ貼付用ジグであることを要旨としている。
【００１０】
本願の発明では、更に、案内ローラ組が設けてあり、前記案内ローラ組は、前記本体の入り口に応じて前記収容空間の内部に組み付けられ、前記貼付口の方向へ送るようにテープを案内することを特徴とする、請求項１に記載の直動装置保護テープ貼付用ジグであることを要旨としている。
【００１１】
本願の発明では、前記案内ローラ組は、案内ローラと、前記案内ローラに対向するように設置される規制ピンとを含み、前記案内ローラと前記規制ピンとの組合により、テープが挟まれて案内されることを特徴とする請求項２に記載の直動装置保護テープ貼付用ジグであることを要旨としている。
【００１２】
本願の発明では、前記本体の貼付口の両側の壁面にはガイド穴が開設してあり、且つ前記貼付口の上には調整穴が開設してあり、前記押えローラ組は、調整ロッドと、押えローラ台と、バネと、押えローラと、を少なくとも含み、前記調整ロッドは、その一端に円盤形状のハンドルが結合してあり、他端に螺旋が設けてあり、且つ螺旋が設けられた他端は前記本体の上にある調整穴から挿入され、前記押えローラ台は、前記本体の収容空間の内部に設置され、枢着軸を有し、前記枢着軸が前記本体の両側のガイド穴に挿入され、前記枢着軸と前記押えローラ台との変位が前記二つのガイド穴に規制され、且つ前記調整ロッドに応じてネジ穴が開設してあり、前記調整ロッドにある螺旋が前記ネジ穴に螺入され、前記バネは、両端が前記押えローラ台と前記本体にある内壁面とにそれぞれ支えるように、前記調整ロッドに嵌められ、前記押えローラは、前記枢着軸に回動自在に挿通され、前記本体の貼付口に位置され、前記バネに付勢されて、フィルムが剥され貼付口まで送られるテープを予定面に貼り付けることを特徴とする請求項１または請求項３に記載の直動装置保護テープ貼付用ジグであることを要旨としている。
【００１３】
本願の発明では、前記本体の収容空間の内部には、テープに貼り付けられたフイルムを剥すためのスクレーパが設けてあり、前記スクレーパが前記入り口と前記貼付口との間に位置されることを特徴とする請求項１、請求項２または請求項３に記載の直動装置保護テープ貼付用ジグであることを要旨としている。
【発明の効果】
【００１４】
本発明の直動装置保護テープ貼付用ジグによれば、感応テープを一回で精確に貼り付けることができ、感応テープを快速で重複に貼り付けることができ、且つ感応テープに貼り付けられたフィルムを自動的に剥すことができる効果を有する。
【発明を実施するための最良の形態】
【００１５】
以下、添付図面を参照して本発明の好適な実施の形態を詳細に説明する。
【００１６】
まず、図１乃至図３を参照する。図１乃至図３に示すのは本発明の直動装置保護テープ貼付用ジグの実施例１であって、直動装置保護テープ貼付用ジグがリニアガイドウェーのブロック１０の一側にビス止められ（ブロックは可動子、レールは固定子）、テープ５０の一面にフィルム５１が貼り付けてあり、且つ直動装置保護テープ貼付用ジグは、本体２０と、案内ローラ組３０と、押えローラ組４０とを含む。
【００１７】
前記本体２０は、内部に収容空間２１を有するハウジングであり、テープ５０に応じて入り口２２と貼付口２３とが開設してあり、前記入り口２２と貼付口２３とがそれぞれ前記本体２０の両側に位置され、テープ５０が前記入り口２２から前記本体２０に進入し、前記貼付口２３がテープ貼付の予定箇所の方向に開放し、前記本体２０の貼付口２３の両側の壁面にはガイド穴２０１が開設してあり、且つ前記貼付口２３の上には調整穴２０２が開設してあり、前記本体２０の収容空間２１の内部には、テープ５０に貼り付けられたフイルム５１を剥すためのスクレーパ２４が設けてあり、前記スクレーパ２４が前記入り口２２と前記貼付口２３との間に位置される。
【００１８】
前記案内ローラ組３０は、前記本体２０の入り口２２に応じて前記収容空間２１の内部に組み付けられ、案内ローラ３１と、前記案内ローラ３１に対向するように設置される規制ピン３２とを含み、前記案内ローラ３１と前記規制ピン３２との組合により、テープ５０が挟まれて前記貼付口５０の方向へ送るように案内される。
【００１９】
前記押えローラ組４０は、前記本体２０の貼付口２３に応じて前記収容空間２１の内部に組み付けられ、調整ロッド４１と、押えローラ台４２と、バネ４３と、押えローラ４４と、を少なくとも含む。
【００２０】
前記調整ロッド４１は、その一端に円盤形状のハンドル４１１が結合してあり、他端に螺旋４１２が設けてあり、且つ螺旋４１２が設けられた他端は前記本体２０の上にある調整穴２０２から挿入される。
【００２１】
前記押えローラ台４２は、前記本体２０の収容空間２１の内部に設置され、枢着軸４２２を有し、前記枢着軸４２２が前記本体２０の両側のガイド穴２０１に挿入され、前記枢着軸４２２と前記押えローラ台４２との変位が前記二つのガイド穴２０１に規制され、且つ前記調整ロッド４１に応じてネジ穴４２１が開設してあり、前記調整ロッド４１にある螺旋４２１が前記ネジ穴４２１に螺入される。
【００２２】
前記バネ４３は、両端が前記押えローラ台４２と前記本体２０にある内壁面とにそれぞれ支えるように、前記調整ロッド４１に嵌められる。
【００２３】
前記押えローラ４４は、前記枢着軸４２２に回動自在に挿通され、前記本体２０の貼付口２３に位置され、前記バネ４３に付勢されて、フィルム５１が剥され貼付口２３まで送られるテープ５０を予定面に貼り付ける。
【００２４】
また、図４に示すように、本発明の直動装置保護テープ貼付用ジグがリニアガイドウェーのブロック１０と一緒に変位しているときに、押えローラ４４は、フィルム５１が剥され貼付口２３まで送られるテープ５０を持続に圧迫し、テープ５０を予定面に貼り付け、且つリニアガイドウェーのブロック１０が精確に直動することにより、テープ５０を正確で直線に貼り付けることができ、そしてフィルム剥しおよびテープ貼付が直動装置保護テープ貼付用ジグによって実施するので、人件費および工数が低減する。
【００２５】
図５に示すのは本発明の別の実施例であって、このような直動装置保護テープ貼付用ジグにより、金属製の保護テープ６０の貼付作業を実施することができ、且つ保護テープ６０が感応テープ５０の上面に安定に重ねることができ、本実施例は、可動子の直動によって保護テープ６０を直線に貼り付けることができ、且つフィルム剥しおよびテープ貼付が直動装置保護テープ貼付用ジグによって実施するので、人件費および工数が低減し、そして保護テープ６０の貼付誤差が発生しなくなる。
【図面の簡単な説明】
【００２６】
【図１】本発明の実施例の斜視図である。
【図２】本発明の実施例の組合状態の断面図である。
【図３】本発明の実施例の使用状態を示す断面図である。
【図４】本発明の実施例の使用状態を示す拡大断面図である。
【図５】本発明の実施例に保護テープを貼り付けることを示す概略図である。
【符号の説明】
【００２７】
２０      本体
２０１    ガイド穴
２０２    調整穴
２１      収容空間
２２      入り口
２３      貼付口
２４      スクレーパ
３０      案内ローラ組
３１      案内ローラ
３２      規制ピン
４０      押えローラ組  
４１      調整ロッド
４１１    ハンドル
４１２    螺旋
４２      押えローラ台  
４２１    ネジ穴
４２２    枢着軸
４３      バネ
４４      押えローラ
５０      テープ
５１      フィルム
６０      保護テープ
７０      ネジ
【図１】
2008127197.tif 000003
【図２】
2008127197.tif 000004
【図３】
2008127197.tif 000005
【図４】
2008127197.tif 000006
【図５】
2008127197.tif 000007